(57)【要約】【課題】無人搬送車が誘導路構造体を乗り越える際に発生する振動を低減し、無人搬送車の静粛性・耐久性を向上させ、メンテナンス作業負担及びメンテナンスコストの削減を図ることのできる磁気誘導方式の無人搬送車用の誘導路構造体を提供する。【解決手段】床面Ｆに敷設され磁気誘導方式の無人搬送車１を誘導する磁気誘導帯Ｌ１を有し、無人搬送車１が磁気誘導帯Ｌ２を乗り越える場所の磁気誘導帯Ｌ２の長手方向に対して両側方に、磁気誘導帯Ｌ２と同じ厚さの保護部材Ｓ１が設置されていることにより上記の課題を解決する。【選択図】図１
2010015378.tif 000002
【特許請求の範囲】
【請求項１】
床面に敷設され磁気誘導方式の無人搬送車を誘導する磁気誘導帯を有する誘導路構造体において、
前記無人搬送車が磁気誘導帯を乗り越える場所の該磁気誘導帯の長手方向に対して両側方に、前記磁気誘導帯と同じ厚さの保護部材が設置されていることを特徴とする誘導路構造体。
【請求項２】
前記磁気誘導帯と保護部材の外縁部との距離が、磁気誘導帯の長手方向に対して不均一であることを特徴とする請求項１記載の誘導路構造体。
【請求項３】
前記保護部材の厚さが、前記磁気誘導帯から離れるにつれて薄くなっていることを特徴とする請求項１又は請求項２記載の誘導路構造体。
【請求項４】
前記保護部材が、表面がポリ塩化ビニル製フィルムであり裏面がゴム系粘着剤であるラインテープからなることを特徴とする請求項１乃至請求項３のいずれか記載の誘導路構造体。
【発明の詳細な説明】
【技術分野】
【０００１】
本発明は、床面に敷設され磁気誘導方式の無人搬送車を誘導する磁気誘導帯を有する誘導路構造体に関するものであり、主として新聞印刷工場や商業用印刷工場、製紙工場などにおいて利用されるものである。
【背景技術】
【０００２】
従来から、新聞印刷工場などにおいては、紙庫から輪転機への巻取紙の搬送手段としてＡＧＶと略称される無人搬送車が多く利用されている。無人搬送車の走行制御方式としては、（１）床面に電磁誘導線を埋設し、そこに交流電流を流して生じる磁界を車体側の磁気センサで検出することによって、走行ルートを検出する電磁誘導方式（誘導線埋設方式）、（２）床面に磁気誘導帯を誘導線として貼り付け、車体側の磁気センサで磁気誘導帯が発生する磁束を検出することによって、走行ルートを検出する磁気誘導方式、（３）床面に光反射テープを誘導線として貼り付け、車体側の光センサで光反射テープを検知して、走行ルートを検出する光誘導方式などが主に用いられている。このような無人搬送車は、巻取紙の搬送における自動化・省人化・作業環境の改善に寄与してきた。
【０００３】
特に近年、輪転機の給紙作業の合理化などに対する要求が高まりつつあり、そのため、積極的により高性能な無人搬送車の導入が図られている。そして、このような無人搬送車の制御方式としては、保守管理や据付現場への適応性、経済性などの観点から、前記（２）で説明した磁気誘導方式が多く採用される傾向にある。
【０００４】
通常、磁気誘導方式の無人搬送車は、予め工場などの床面に所定の走行ルートに沿ってゴム磁石製の磁気ガイドテープなどの磁気誘導帯を主構成要素とする誘導路構造体を敷設し、この誘導路構造体が発生する磁束を無人搬送車に装備された磁気センサで検出することによって、自動操舵・走行制御がなされている。
【０００５】
誘導路構造体は、一般に、図１０に示すように、床面Ｆに貼り付けるための両面接着テープ５２０と、磁束の発生源である磁気誘導帯５１０と、この磁気誘導帯５１０を保護するラミネートフィルム５３０とが積層された構造をしている。このような誘導路構造体５００は、両面接着テープ５２０の剥離紙（図示されていない）を剥がすことによって、簡単に床面Ｆに貼り付け可能であるとともに、ラミネートフィルム５３０によって磁気誘導帯５１０が覆われているため、無人搬送車が横切ったり、作業者が踏みつけたとしても磁気誘導帯５１０が損傷しにくく、長期間に亘って確実に無人搬送車を誘導することができる（例えば、特許文献１、２参照。）。
【特許文献１】特開平７−２３９７１３号公報
【特許文献２】実開平５−７５８０４号公報
【発明の開示】
【発明が解決しようとする課題】
【０００６】
しかしながら、前述した誘導路構造体５００は、両面接着テープ５２０、磁気誘導帯５１０、ラミネートフィルム５３０からなる積層構造により厚さが増すため、無人搬送車が進行方向に対して垂直に敷設された誘導路構造体５００を乗り越える際、無人搬送車に大きな振動が発生する。その結果、無人搬送車に積載した荷物が荷崩れを起こすおそれがあった。また、大きな振動が発生することによって、騒音が大きくなり、無人搬送車の走行時の静粛性が損なわれるという問題があった。そして、繰り返し大きな振動が無人搬送車に加わることによって、無人搬送車が故障する確率が高まるという無人搬送車の耐久性上の問題があった。さらに、無人搬送車が誘導路構造体５００を乗り越えるたびにラミネートフィルム５３０が摩耗するため、定期的に誘導路構造体５００の貼り替え作業が必要であり、そのためのメンテナンス作業負担とメンテナンスコストが増加するという問題があった。
【０００７】
一方、誘導路構造体が貼り付けられた走行ルートに沿った床面の全面に磁気を遮断しない非磁性体でできたカーペットを敷くことによって、無人搬送車が誘導路構造体を横断する際の振動の発生を抑制することも知られているが、カーペットの敷設に莫大なコストが掛かるのみならず、走行ルートの変更の度にカーペットを剥ぐ必要があり走行ルート変更時の作業負担が大きいという問題があった。
【０００８】
そこで、本発明が解決しようとする技術的課題、すなわち、本発明の目的は、無人搬送車が誘導路構造体を乗り越える際に発生する振動を低減し、無人搬送車の静粛性・耐久性を向上させ、メンテナンス作業負担及びメンテナンスコストの削減を図ることのできる磁気誘導方式の無人搬送車用の誘導路構造体を提供することである。
【課題を解決するための手段】
【０００９】
まず、本請求項１に係る発明は、床面に敷設され磁気誘導方式の無人搬送車を誘導する磁気誘導帯を有する誘導路構造体において、前記無人搬送車が磁気誘導帯を乗り越える場所の該磁気誘導帯の長手方向に対して両側方に、前記磁気誘導帯と同じ厚さの保護部材が設置されていることにより、前記課題を解決したものである。
【００１０】
ここで、本発明において、「磁気誘導帯の長手方向に対して両側方に・・・保護部材が設置され」とは、磁気誘導帯の長手方向に対して両側方にそれぞれ別の保護部材が、磁気誘導帯の側面に接触するように設置されている場合と１つの保護部材が磁気誘導帯を覆うように設置されている場合との両方の設置形態を意味している。また、「磁気誘導帯と同じ厚さの保護部材」における「同じ」とは、「寸分違わず全く同じ」ということを意味しているわけではなく、本発明の誘導路構造体の振動低減機能を損なうことのない範囲に含まれる「実質的に同じ」と見なすことのできることを意味している。
【００１１】
また、本請求項２に係る発明は、請求項１に係る誘導路構造体において、前記磁気誘導帯と保護部材の外縁部との距離が、磁気誘導帯の長手方向に対して不均一であることにより、前記課題をさらに解決したものである。
【００１２】
ここで、「磁気誘導帯と保護部材の外縁部との距離が、磁気誘導帯の長手方向に対して不均一である」とは、保護部材の形状が、正方形又は長方形でないことを意味している。
【００１３】
そして、本請求項３に係る発明は、請求項１又は請求項２に係る誘導路構造体において、保護部材の厚さが、前記磁気誘導帯から離れるにつれて薄くなっていることにより、前記課題をさらに解決したものである。
【００１４】
そして、本請求項４に係る発明は、請求項１乃至請求項３のいずれかに係る誘導路構造体において、前記保護部材が、表面がポリ塩化ビニル製フィルムであり裏面がゴム系粘着剤であるラインテープからなることにより、前記課題をさらに解決したものである。
【発明の効果】
【００１５】
本請求項１に係る発明によれば、床面に敷設され磁気誘導方式の無人搬送車を誘導する磁気誘導帯を有する誘導路構造体において、無人搬送車が磁気誘導帯を乗り越える場所の磁気誘導帯の長手方向に対して両側方に、磁気誘導帯と同じ厚さの保護部材が設置されていることにより、無人搬送車が磁気誘導帯を主構成要素とする硬い誘導路構造体を乗り越える際に、誘導路構造体より軟らかい保護部材を介して乗り越えるため、無人搬送車が誘導路構造体を乗り越える際に発生する振動が低減され、無人搬送車の静粛性・耐久性が向上し、メンテナンスコストの削減及びメンテナンス作業負担の軽減を実現することができる。
【００１６】
また、本請求項２に係る発明によれば、請求項１に係る誘導路構造体において、磁気誘導帯と保護部材の外縁部との距離が、磁気誘導帯の長手方向に対して不均一であることにより、無人搬送車が誘導路構造体に乗り上げる際に、無人搬送車の車輪と保護部材との接触面積が徐々に増加し、無人搬送車が誘導路構造体から降りる際に、無人搬送車の車輪と保護部材との接触面積が徐々に減少するため、無人搬送車が誘導路構造体を乗り越える際に発生する振動がより一層低減される。その結果、無人搬送車の静粛性・耐久性がさらに向上し、メンテナンスコストのさらなる削減及びメンテナンス作業負担のさらなる軽減を実現することができる。
【００１７】
しかも、保護部材をカッターや鋏などで切断するというきわめて簡単な作業だけで、保護部材と誘導路構造体の接触部と保護部材の外縁部との距離を、誘導路構造体の長手方向に対して不均一とすることができるため、誘導路構造体の製造コストの削減及び設置作業負担の軽減が図られる。
【００１８】
そして、本請求項３に係る発明によれば、請求項１又は請求項２に係る誘導路構造体において、保護部材の厚さが、磁気誘導帯から離れるにつれて薄くなっていることにより、無人搬送車が誘導路構造体を乗り越える場所における段差が解消されるので、無人搬送車が誘導路構造体を乗り越える際に発生する振動がさらに低減される。
【００１９】
そして、本請求項４に係る発明によれば、請求項１乃至請求項３のいずれかに係る誘導路構造体において、保護部材が、表面がポリ塩化ビニル製フィルムであり裏面がゴム系粘着剤であるラインテープからなることにより、保護部材が弾力性を呈するため、無人搬送車が誘導路構造体を乗り越える際に発生する振動がさらに一層低減される。しかも、保護部材の切断加工をラインテープに剥離紙が付いている状態で行えるため、製作作業負担が格段に軽減されるとともに、設置場所において剥離紙を剥いで床面に貼り付けることができるので設置作業の効率が向上する。また、走行ルートの変更・増設にもフレキシブルに対応できる。さらに、汎用のラインテープを用いることができるので、低コスト化が実現できる。
【発明を実施するための最良の形態】
【００２０】
本発明は、床面に敷設され磁気誘導方式の無人搬送車を誘導する磁気誘導帯を有する誘導路構造体において、無人搬送車が磁気誘導帯を乗り越える場所の磁気誘導帯の長手方向に対して両側方に、磁気誘導帯と同じ厚さの保護部材が磁気誘導帯の側面に接触して設置されており、無人搬送車が誘導路構造体を乗り越える際に発生する振動を低減し、無人搬送車の静粛性・耐久性を向上させ、メンテナンスコストの削減及びメンテナンス作業負担の軽減を実現することのできるものであれば、その具体的な実施の態様は、如何なるものであっても何ら構わない。
【００２１】
例えば、本発明の誘導路構造体の主要構成要素の１つである磁気誘導帯は、ストロンチウム・フェライトなどのフェライト磁石粉末と塩素化ポリエチレン・ポリマーアロイなどのゴム材料からなるバインダーを混合して帯状に成形された異方性ゴム磁石の表面をポリ塩化ビニルなどの合成樹脂でコーティングし、裏面に両面接着テープを有した市販の磁気式誘導型ガイドセンサ用の磁気ガイドテープをそのまま使用することができる。
【００２２】
また、本発明の誘導路構造体の主要構成要素の別の１つである保護部材の表面を黄色とか赤、あるいは、黄色と黒のツートンカラーなどの目立つ着色とすることにより、誘導路構造体に、前述したような主要な効果に加えて、保護部材が設置されている場所が２つの走行ルートが交差している場所であることを作業者（歩行者）に注意喚起するという効果を持たせることも可能である。
【実施例１】
【００２３】
本発明の一実施形態である実施例１について、図１乃至図４に基づいて説明する。
ここで、図１は、実施例１の誘導路構造体が新聞印刷工場で使用されるときの一実施形態を無人搬送車とともに示した斜視図であり、図２は、本発明の誘導路構造体と無人搬送車との配置関係を説明する平面図である。また、図３（ａ）は、従来の誘導路構造体の形状を示す平面図であり、図３（ｂ）は、それを無人搬送車が乗り越えた際の振動計測結果を示すグラフであり、図４（ａ）は、本発明の実施例１の誘導路構造体の形状を示す平面図であり、図４（ｂ）は、それを無人搬送車が乗り越えた際の振動計測結果を示すグラフである。
【００２４】
本発明の誘導路構造体は、図１に示すように、新聞印刷工場などの床面Ｆに敷設され磁気誘導方式の無人搬送車を誘導する。
【００２５】
新聞印刷工場で使用される標準的な新聞用紙は、幅は約１．６メートルで残芯Ｃに円筒形に巻きつけられており（巻取紙Ｒ）、直径は約１．２メートル、重さは約１．２トンある。長さは１６キロ余りで、４０ページの新聞６０００部に相当する。
【００２６】
この巻取紙Ｒは、温度及び湿度が一定に保たれた紙庫に運び込まれ、この紙庫から無人搬送車１によって輪転機まで搬送される。この無人搬送車は、中央制御装置に予め入力された印刷プログラムにしたがって、紙庫から巻取紙Ｒを取り出し、床面Ｆに敷設された磁気誘導帯Ｌ１に誘導されて所定の輪転機まで走行する。
【００２７】
本発明の誘導路構造体は、図１及び図２に示すように、所定の走行ルートに沿って床面Ｆに敷設される。そして、磁気誘導方式の無人搬送車１が、車体内に搭載された磁気センサで誘導路構造体の主要構成要素の１つである磁気誘導帯Ｌ１（磁気ガイドテープ）が発生する磁束を検知しながら、この磁気誘導帯Ｌ１に沿って走行する。この時、無人搬送車１が、磁気誘導帯Ｌ１に直交する別の走行ルートに沿って敷設された磁気誘導帯Ｌ２を乗り越える。
【００２８】
本実施例で用いられている無人搬送車１は、図２に示すように、車体の四隅にキャスタ輪２を有しており、対峙する２つのキャスタ輪２のほぼ中央に１つの駆動輪３を有している。したがって、図３（ａ）に示すように、無人搬送車が、磁気誘導帯Ｌを乗り越える際に、２つのキャスタ輪と１つの駆動輪が直接、磁気誘導帯Ｌに乗り上げる。磁気誘導帯Ｌの厚さは、１ミリ程度であるが、前述のように搬送物である巻取紙の重さが約１．２トンときわめて重いため、無人搬送車が磁気誘導帯Ｌに乗り上げる時に、無人搬送車に大きな振動が発生する。この振動を計測した結果を示したものが図３（ｂ）のグラフである。振動計測時の無人搬送車の走行速度は、６０メートル／分である。図３（ｂ）のグラフが示すように、無人搬送車が磁気誘導帯Ｌを乗り越える際に、最大１．１３Ｇ、最小−１．６４Ｇの振動が計測された。
【００２９】
次に、図４（ａ）に示すように、無人搬送車のキャスタ輪及び駆動輪が磁気誘導帯Ｌを乗り越える場所に、磁気誘導帯Ｌの長手方向に対して両側方に磁気誘導帯Ｌの側面に接触するように一定幅の保護部材Ｓ１を設置して誘導路構造体１０を構成した。この保護部材Ｓ１は、表面がポリ塩化ビニル製フィルムで裏面がゴム系粘着剤である市販のラインテープであり、磁気誘導帯Ｌとほぼ同じ厚さを有している。
【００３０】
このような保護部材Ｓ１と磁気誘導帯Ｌとからなる誘導路構造体１０を無人搬送車が乗り越える際に発生する振動を前述と同じ条件で計測した結果を示したものが図４（ｂ）のグラフである。このグラフが示すように、無人搬送車が誘導路構造体１０を乗り越える際に、最大０．７７Ｇ、最小−０．７６Ｇの振動が計測された。したがって、磁気誘導帯Ｌに保護部材Ｓ１を配設した誘導路構造体１０は、前述した保護部材を有していない通常の誘導路構造体、すなわち磁気誘導帯Ｌ単体に比べて、振動の発生が７０％以下に抑制されている。この理由は、無人搬送車のキャスタ輪及び駆動輪が誘導路構造体１０を乗り越える際に、直接、磁気誘導帯Ｌを乗り越えずに、磁気誘導帯Ｌよりも軟らかい保護部材Ｓ１を介して乗り越えることにより、乗り越え時の衝撃が軽減されるため、発生する振動が抑制されるためである。
【実施例２】
【００３１】
次に、本発明の別の実施の形態である実施例２について、図５に基づいて説明する。
実施例２の誘導路構造体２０は、図５（ａ）に示すように、無人搬送車のキャスタ輪及び駆動輪が磁気誘導帯Ｌを乗り越える場所に、磁気誘導帯Ｌの長手方向に対して両側方に幅が次第に広くなる直角三角形状の保護部材Ｓ２が磁気誘導帯Ｌの側面に接触するように設置されている。このような保護部材Ｓ２を設置した誘導路構造体２０を無人搬送車が乗り越える際に発生する振動を前述と同じ条件で計測した結果を示したものが図４（ｂ）のグラフである。このグラフが示すように、無人搬送車が誘導路構造体２０を乗り越える際に、最大０．２５Ｇ、最小−０．２６Ｇの振動が計測された。したがって、保護部材Ｓ２を設置した誘導路構造体２０は、前述した保護部材を有しない通常の誘導路構造体、すなわち磁気誘導帯Ｌ単体に比べて、振動の発生が２０％以下に抑制されている。この理由は、無人搬送車が誘導路構造体２０に乗り上げる際に、無人搬送車のキャスタ輪及び駆動輪と保護部材Ｓ２との接触面積が徐々に増加し、無人搬送車が誘導路構造体２０から降りる際に、無人搬送車のキャスタ輪及び駆動輪と保護部材Ｓ２との接触面積が徐々に減少するため、乗り越え時の衝撃が軽減され、発生する振動が抑制されるためである。
【実施例３】
【００３２】
さらに、本発明の別の実施の形態である実施例３について、図６に基づいて説明する。
本発明の誘導路構造体に設置する保護部材は、実施例１で説明した均一幅の保護部材Ｓ１及び実施例２で説明した直角三角形状の保護部材Ｓ２の他に、図６（ａ）乃至図６（ｅ）に示すように、磁気誘導帯Ｌと保護部材Ｓ３乃至保護部材Ｓ７の外縁部との距離が、磁気誘導帯Ｌの長手方向に対して不均一である様々な形状を採用することができる。図６（ａ）乃至図６（ｅ）に示したいずれの誘導路構造体３０、４０、５０、６０、７０であっても、無人搬送車が磁気誘導帯Ｌに乗り上げる際に、無人搬送車のキャスタ輪及び駆動輪と保護部材Ｓ３乃至保護部材Ｓ７との接触面積が徐々に増加し、無人搬送車が磁気誘導帯Ｌから降りる際に、無人搬送車のキャスタ輪及び駆動輪と保護部材Ｓ３乃至保護部材Ｓ７との接触面積が徐々に減少するため、乗り越え時の衝撃が軽減され、発生する振動を抑制することができる。
【００３３】
なお、無人搬送車が保護部材を設置した誘導路構造体を乗り越えるときに、車輪（キャスタ輪及び駆動輪）の向きがぶれるのを抑制するため、磁気誘導帯の両側方に設置する保護部材は、図６（ａ）乃至図６（ｅ）に示したように磁気誘導帯Ｌを挟んで点対称の形状とすることが好ましい。
【実施例４】
【００３４】
さらに、本発明の別の実施の形態である実施例４について、図７に基づいて説明する。
実施例４の誘導路構造体８０は、磁気誘導帯Ｌの長手方向に対して両側方に設置する保護部材Ｓ８が、実施例１乃至実施例３で説明した保護部材Ｓ１乃至保護部材Ｓ７のように磁気誘導帯の長手方向に対して両側方にそれぞれ別の保護部材が磁気誘導帯の側面に接触するように設置されているものと異なり、１つの保護部材Ｓ８が磁気誘導帯Ｌを覆うように設置されている。このような構造にしたことにより、磁気誘導帯Ｌの長手方向に対して両側方に設置される保護部材Ｓ８が単一の部材であるため、その製造工程が削減されて製造コストの低減が図られるとともに、保護部材Ｓ８の設置作業負担も軽減される。さらに、無人搬送車が磁気誘導帯Ｌを乗り越える場所が保護部材Ｓ８で覆われることによって、磁気誘導帯Ｌの表面の摩耗が抑制され誘導路構造体８０の耐久性が向上する。
【００３５】
なお、実施例４は、保護部材８として、前述した実施例２において図５（ａ）に基づき説明したような磁気誘導帯Ｌと保護部材の外縁部との距離が磁気誘導帯Ｌの長手方向に対して両側方に幅が次第に広くなるような直角三角形状、すなわち保護部材８の全体形状が平行四辺形状のものを例示したが、これに限られることなく、前述した実施例１において図４（ａ）に基づき説明したような磁気誘導帯Ｌと保護部材の外縁部との距離が磁気誘導帯Ｌの長手方向に対して一定になるような形状、すなわち保護部材８の全体形状が長方形又は正方形であるものであっても良く、さらには、前述した実施例３において図６（ａ）乃至図６（ｅ）に基づき説明したような磁気誘導帯Ｌと保護部材の外縁部との距離が磁気誘導帯Ｌの長手方向に対して不均一であるような形状のものであっても構わない。
【実施例５】
【００３６】
さらに、本発明の別の実施の形態である実施例５について、図８に基づいて説明する。
ここで、図８（ａ）は、前述した実施例２の誘導路構造体２０の断面形状を示している。すなわち、図５（ａ）のＶＩＩＩ−ＶＩＩＩ線における断面図である。このように前述した実施例１乃至実施例３の誘導路構造体は、いずれも保護部材を市販のラインテープを切断することによって作製しているので、保護部材の厚さが一定であった。
【００３７】
一方、実施例５の誘導路構造体９０は、図８（ｂ）に示すように、保護部材Ｓ９を一定の幅で所定の長さの合成樹脂などの弾性材料や木製合板などの剛性材料を用いて、その厚さが、磁気誘導帯Ｌから離れるにつれて薄くなるように作製されている。すなわち、保護部材Ｓ９は、幅方向に傾斜した形状になっている。このような構造にしたことによって、床面Ｆと磁気誘導帯Ｌとの段差が解消されるため、無人搬送車が誘導路構造体９０を乗り越える際の振動の発生を、より一層、抑制することができる。
【００３８】
なお、前述した実施例では、いずれも、無人搬送車が誘導路構造体を垂直に乗り越える場合を例にとって説明したが、本発明の誘導路構造体は、図９に示すように、無人搬送車が磁気誘導帯Ｌ４を乗り越える場所が、走行ルートの分岐点となる場合であっても構わない。この場合、磁気誘導帯Ｌ４の両側方に設置される保護部材Ｓ１０の幅は一定であっても、無人搬送車が誘導路構造体１００に乗り上げる際に、無人搬送車のキャスタ輪及び駆動輪と保護部材Ｓ１０との接触面積が徐々に増加し、無人搬送車が誘導路構造体１００から降りる際に、無人搬送車のキャスタ輪及び駆動輪と保護部材Ｓ１０との接触面積が徐々に減少するため、乗り越え時の衝撃が軽減され、発生する振動が抑制される。
【００３９】
以上のように、本発明の誘導路構造体は、床面に敷設され磁気誘導方式の無人搬送車を誘導する磁気誘導帯を有し、無人搬送車が磁気誘導帯を乗り越える場所の磁気誘導帯の長手方向に対して両側方に、磁気誘導帯と同じ厚さの保護部材が設置するという構成により、無人搬送車が磁気誘導帯を乗り越える際に発生する振動を低減させるものであって、加えて、保護部材の形状を変えることにより、この振動をより効果的に低減させるものである。その結果、無人搬送車の静粛性・耐久性が向上し、メンテナンスコストの削減及びメンテナンス作業負担の軽減が実現するなど、その効果は甚大である。
【産業上の利用可能性】
【００４０】
本発明の誘導路構造体は、磁気を用いて無接触で無人搬送車を誘導するものであり粉塵や電磁ノイズの発生がきわめて少なく、また、静粛性に優れているため、新聞印刷工場における巻取紙の搬送に限らず、クリーンな環境が要求される半導体製造工場や医薬品製造工場などにおける部品や製品の搬送にも適しており、その産業上の利用可能性はきわめて高い。
【図面の簡単な説明】
【００４１】
【図１】実施例１の誘導路構造体が新聞印刷工場で使用されるときの一実施形態を無人搬送車とともに示した斜視図である。
【図２】本発明の誘導路構造体と無人搬送車との配置関係を説明する平面図である。
【図３】（ａ）は、従来の誘導路構造体の形状を示す図であり、（ｂ）は、それを無人搬送車が乗り越えた際の振動測定結果を示すグラフである。
【図４】（ａ）は、実施例１の誘導路構造体の形状を示す図であり、（ｂ）は、それを無人搬送車が乗り越えた際の振動測定結果を示すグラフである。
【図５】（ａ）は、実施例２の誘導路構造体の形状を示す図であり、（ｂ）は、それを無人搬送車が乗り越えた際の振動測定結果を示すグラフである。
【図６】実施例３の誘導路構造体の形状を示す平面図である。
【図７】実施例４の誘導路構造体の形状を示す平面図である。
【図８】（ａ）は、図５のＶＩＩＩ−ＶＩＩＩ線における断面図であり、（ｂ）は、実施例５の誘導路構造体の断面図である。
【図９】本発明の誘導路構造体を走行ルートの分岐点に適用したときの一実施態様を示した平面図である。
【図１０】従来の誘導路構造体の断面図である。
【符号の説明】
【００４２】
１  ・・・  無人搬送車
２  ・・・  キャスタ輪
３  ・・・  駆動輪
１０、２０、３０、４０、５０、６０、７０、８０、９０、１００・・・誘導路構造体
Ｌ、Ｌ１、Ｌ２、Ｌ３、Ｌ４  ・・・  磁気誘導帯
Ｓ１、Ｓ２、Ｓ３、Ｓ４、Ｓ５、Ｓ６、Ｓ７、Ｓ８、Ｓ９、Ｓ１０  ・・・  保護部材
Ｒ  ・・・  巻取紙
Ｃ  ・・・  残芯
Ｆ  ・・・  床
５００  ・・・  従来の誘導路構造体
５１０  ・・・  （従来の誘導路構造体の）磁気誘導帯
５２０  ・・・  （従来の誘導路構造体の）両面接着テープ
５３０  ・・・  （従来の誘導路構造体の）ラミネートフィルム
【図１】
2010015378.tif 000003
【図２】
2010015378.tif 000004
【図３】
2010015378.tif 000005
【図４】
2010015378.tif 000006
【図５】
2010015378.tif 000007
【図６】
2010015378.tif 000008
【図７】
2010015378.tif 000009
【図８】
2010015378.tif 000010
【図９】
2010015378.tif 000011
【図１０】
2010015378.tif 000012